(57)【要約】【課題】パーソナルコンピュータ周辺機器等の電子機器を縦置き、壁掛けのいずれでも保持することができ、壁掛け時の電子機器の取り付け取り外しが容易にでき使用性に優れるスタンドを提供することを目的とする。【解決手段】本発明のスタンドは、１組のスタンド部材１を備え、各々のスタンド部材１が、挟持部２と、挟持部２の一側面に形成された平面状の挟持面３と、挟持面３の下端部に固設された平板状の載置部４と、載置部４の上面に形成され挟持面３に対して直交した平面状の載置面５と、載置面５に形成された長溝状の１乃至複数のスライド凹部９ａ，９ｂと、スライド凹部９ａ，９ｂの底壁に貫通し挟持面３に直交して形成された長孔状のスライド孔８ａ，８ｂと、挟持面３に突設された１乃至複数の固定凸部１７と、を備えた構成を有している。【選択図】図１
2005167123.tif 000002
【特許請求の範囲】
【請求項１】
一対のスタンド部材からなり、各々の前記スタンド部材が、挟持部と、前記挟持部の一側面に形成された平面状の挟持面と、前記挟持面の下端部に固設された平板状の載置部と、前記載置部の上面に形成され前記挟持面に対して直交した平面状の載置面と、前記載置面に形成された長溝状の１乃至複数のスライド凹部と、前記スライド凹部の底壁に貫通し前記挟持面に直交して形成された長孔状のスライド孔と、前記挟持面に突設された１乃至複数の固定凸部と、を備えたことを特徴とするスタンド。
【請求項２】
前記スライド孔の少なくとも一方の側壁に突設されたビス係合凸部を備えたことを特徴とする請求項１に記載のスタンド。
【請求項３】
前記スライド凹部の底壁に貫通して形成され前記スライド孔の前記ビス係合凸部側に並設された長孔状開口部を備えたことを特徴とする請求項２に記載のスタンド。
【請求項４】
前記載置面に凹状に形成された１乃至複数のビス止め凹部と、前記ビス止め凹部の底壁に貫通して形成されたビス止め孔と、を備えたことを特徴とする請求項１乃至３の内いずか１項に記載のスタンド。
【請求項５】
各々の前記スタンド部材が、前記載置部の前記挟持面と反対側の側面に左右に形成された嵌合凸部及び嵌合凹部等からなる結合手段を備えたことを特徴とする請求項１乃至４の内いずれか１項に記載のスタンド。
【請求項６】
前記載置面の前記挟持面側の端部から前記挟持面の上部に渡って形成された開口部と、前記開口部の上端部から下方に向けて前記開口部を覆う平板状に延設され、前記挟持面と面一に形成された面に前記固定凸部が突設された脱着レバー部と、を備えたことを特徴とする請求項５に記載のスタンド。
【発明の詳細な説明】
【技術分野】
【０００１】
本発明は、ルータやモデム等のパーソナルコンピュータ周辺機器やパーソナルコンピュータ本体等を縦置きや横置き或いは壁掛けで保持するスタンドに関する。
【背景技術】
【０００２】
近年、外付けのルータやモデム、或いはＣＤ−ＲＯＭドライブやＭＯドライブ等の外部記憶装置等のパーソナルコンピュータ周辺機器を縦置きや横置き或いは壁掛けで保持するスタンドが広く用いられている。
【０００３】
このようなスタンドの内、縦置きで保持するものとして、特許文献１に「外部記憶装置の側面を載置する装置載置面と、外部記憶装置を狭着する装置狭着片と、外部記憶装置にスタンド支持面の振動が伝わるのを抑制する振動減衰用の脚部と、を備えた外部記憶装置のスタンド」が開示されている。
【０００４】
また、パーソナルコンピュータ周辺機器等の電子機器を壁面に取り付け固定する、いわゆる壁掛けにする場合は、通常、別途壁掛け用の部品を準備し用いている。このような壁掛け用の部品としては、電子機器の下部を支持できる形状を有するものや、電子機器の背面等に予め形成された係合孔に係合する爪やフックを有するもの等があり、このような壁掛け用の部品を予め壁面にビス等により螺着固定しておき、そこに電子機器を取り付けて壁掛けにしている。
【特許文献１】特開平５−２６６６４３号公報
【発明の開示】
【発明が解決しようとする課題】
【０００５】
しかしながら上記従来の技術では、以下のような課題を有していた。
【０００６】
（１）特許文献１のスタンドでは、外部記憶装置を壁面に固定する、いわゆる壁掛けにすることができず、或いは、壁掛けにするためには別途壁掛け用の部品を準備し取り付けなければならず、パーソナルコンピュータの周辺のスペースが少ない場合等に対処し難いという課題を有していた。
【０００７】
（２）また、各々の装置載置面を上下に重ね合わせてビスで止着する構成となっているため、一対のスタンド構成部材が同一の形状を有しておらず、金型成形する場合は別々の金型を用いるので、製造コストが高騰し生産性に欠けるという課題を有していた。
【０００８】
（３）従来の壁掛け用の部品は、電子機器を卓上等に縦置きにする場合は対処することができず用いることができないという課題を有していた。また、卓上等の縦置き時には不要であるため紛失し易く、後で電子機器を壁掛けに変更する際に探し回ったり同じものを購入したりすることがあり、余計な労力や費用を費やすことがあるという課題を有していた。
【０００９】
本発明は上記従来の課題を解決するもので、パーソナルコンピュータ周辺機器等の電子機器を縦置き、壁掛けのいずれでも保持することができ、壁掛け時の電子機器の取り付け取り外しが容易にでき使用性に優れると共に、同一形状の一対のスタンド部材で構成されているので共通の金型で製造でき生産性に優れるスタンドを提供することを目的とする。
【課題を解決するための手段】
【００１０】
上記課題を解決するために、本発明のスタンドは、一対のスタンド部材からなり、各々の前記スタンド部材が、挟持部と、前記挟持部の一側面に形成された平面状の挟持面と、前記挟持面の下端部に固設された平板状の載置部と、前記載置部の上面に形成され前記挟持面に対して直交した平面状の載置面と、前記載置面に形成された長溝状の１乃至複数のスライド凹部と、前記スライド凹部の底壁に貫通し前記挟持面に直交して形成された長孔状のスライド孔と、前記挟持面に突設された１乃至複数の固定凸部と、を備えた構成を有している。
【００１１】
これにより、パーソナルコンピュータ周辺機器等の電子機器を縦置き、壁掛けのいずれでも保持することができ、壁掛け時の電子機器の取り付け取り外しが容易にでき使用性に優れると共に、同一形状の一対のスタンド部材で構成されているので共通の金型で製造でき生産性に優れるスタンドを提供することができる。
【発明の効果】
【００１２】
以上説明したように本発明のスタンドによれば、以下のような有利な効果が得られる。
【００１３】
請求項１に記載の発明によれば、
（１）スライド孔にビスを挿通させビスの頭部をスライド凹部に収容し、ビスを壁面に螺着して各々のスタンド部材を壁面に上下に取り付け、一方のスタンド部材をスライドさせて挟持面を電子機器の下端部の筐体面に当接させ、他方のスタンド部材をスライドさせてその挟持面を電子機器の上端部の筐体面に当接させ、各々の挟持面で電子機器を挟持して壁面に保持固定することができるスタンドを提供することができる。
【００１４】
（２）電子機器の上下を各挟持面で挟持すると共に、挟持面上に突設された固定凸部を電子機器の上端部及び下端部の筐体面に形成された凸部嵌入孔に嵌入させることで安定して保持することができる安定性に優れたスタンドを提供することができる。
【００１５】
（３）壁面にビスで上下に取り付けたスタンド部材をスライドさせて各挟持面を電子機器の上端部及び下端部の筐体面に当接させ、固定凸部を凸部嵌入孔に嵌入させ、電子機器を容易に取り付けることができると共に、電子機器を取り外す場合も、スタンド部材をスライドさせて各挟持面を電子機器の上下端部の筐体面から離隔させて容易に取り外すことができ、取り付け取り外しが容易である操作性に優れたスタンドを提供することができる。
【００１６】
（４）電子機器の壁面側の筐体面が壁面から載置部の高さだけ離隔するため、その筐体面に形成された放熱用の孔が塞がらず、放熱性の低下を防止できる放熱性に優れたスタンドを提供することができる。
【００１７】
（５）一対のスタンド部材を同一形状に形成することができるので、各スタンド部材をＰＳやＡＢＳ等の合成樹脂により一体成形する場合は共通の金型で成形できる生産性に優れたスタンドを提供することができる。
【００１８】
（６）スライド孔が載置面に形成されたスライド凹部の底壁に貫通して形成されているので、電子機器をスタンド部材に取り付けた際にスライド孔やそれに挿通されたビスの頭部が電子機器に覆われ外部から見えなくなるため、外観を向上でき、デザインの自由度に優れたスタンドを提供することができる。
【００１９】
請求項２に記載の発明によれば、請求項１の効果に加え、
（１）ビスをビス係合凸部によりスライド孔の一端部又は一端部近傍の位置で確実に保持することができ、電子機器を一対のスタンド部材の挟持面で挟持した状態でビスをスラ
イド孔のビス係合凸部で保持し電子機器を壁面に確実に固定することができるスタンドを提供することができる。
【００２０】
請求項３に記載の発明によれば、請求項２の効果に加え、
（１）ビスがスライド孔をスライドしビス係合凸部を越える際には、ビスの螺子部の押圧によりスライド孔の側壁が長孔状開口部側に弾性変形しスライド孔の幅を拡げ、ビスはビス係合凸部を容易に越えることができる操作性に優れたスタンドを提供することができる。
【００２１】
請求項４に記載の発明によれば、請求項１乃至３の内いずれか１項の効果に加え、
（１）載置面のスタンド凹部の側部等に穿設されたビス止め凹部と、その底壁に形成されたビス止め孔を備えているので、ビス止め孔にビスを挿通させビス止め凹部にビスの頭部を収容し、ビスを壁面に螺着してスタンド部材を壁面に固定することができるスタンドを提供することができる。
【００２２】
（２）一対のスタンド部材の内、一方のスタンド部材をビス止め孔で壁面にビス止めし、他方のスタンド部材をスライド孔でビス止めすることにより、電子機器を取り付ける場合、或いは取り外す場合に、他方のスタンド部材を下方或いは上方へスライドさせるだけで電子機器の取り付け取り外しを容易に行うことができる操作性に優れたスタンドを提供することができる。
【００２３】
請求項５に記載の発明によれば、請求項１乃至４の内いずれか１項の効果に加え、
（１）一対のスタンド部材を結合してスタンドを形成することができ、縦にした電子機器の下端部を組み立てたスタンドの各々の挟持面の間に挿入し、各挟持面で挟持することで、電子機器をスタンドに装着固定することができ、縦置きで保持することができるので、電子機器を縦置き、壁掛けのいずれでも保持することができる使用性及び多用性に優れたスタンドを提供することができる。
【００２４】
請求項６に記載の発明によれば、請求項５の効果に加え、
（１）電子機器を組み立てたスタンドに縦置きに装着する場合、スタンドの下面側から脱着レバー部の下端部を指等で挟持部側に押圧し、固定凸部を挟持面に対して面一又は陥没させることで、固定凸部は電子機器の筐体面に形成された凸部嵌入孔から抜けるので、電子機器を簡単な操作で容易にスタンドから取り外すことができる操作性に優れたスタンドを提供することができる。
【００２５】
（２）また、縦にした電子機器の下端部を組み立てたスタンドの各挟持面の間に挿入する場合、電子機器の両側部の筐体面は、挟持面に沿って挿入され、各筐体面の下端部は脱着レバー部に突設された固定凸部を押圧するので、脱着レバー部は弾性的に曲がって固定凸部は陥没し、さらに電子機器を挿入すると、脱着レバー部は復元して固定凸部は筐体面の凸部嵌入孔に嵌入するので、電子機器をスタンドに確実に装着固定することができるスタンドを提供することができる。
【発明を実施するための最良の形態】
【００２６】
本発明は、パーソナルコンピュータ周辺機器等の電子機器を縦置き、壁掛けのいずれでも保持することができ、壁掛け時の電子機器の取り付け取り外しが容易にでき使用性に優れると共に、同一形状の一対のスタンド部材で構成されているので共通の金型で製造でき生産性に優れるスタンドを提供するという目的を、一対のスタンド部材からなり、各々のスタンド部材が、挟持部と、挟持部の一側面に形成された平面状の挟持面と、挟持面の下端部に固設された平板状の載置部と、載置部の上面に形成され挟持面に対して直交した平面状の載置面と、載置面に形成された長溝状の１乃至複数のスライド凹部と、スライド凹
部の底壁に貫通し挟持面に直交して形成された長孔状のスライド孔と、挟持面に突設された１乃至複数の固定凸部と、を備えることにより実現した。
【００２７】
上記課題を解決するためになされた第１の発明は、一対のスタンド部材からなり、各々のスタンド部材が、挟持部と、挟持部の一側面に形成された平面状の挟持面と、挟持面の下端部に固設された平板状の載置部と、載置部の上面に形成され挟持面に対して直交した平面状の載置面と、載置面に形成された長溝状の１乃至複数のスライド凹部と、スライド凹部の底壁に貫通し挟持面に直交して形成された長孔状のスライド孔と、挟持面に突設された１乃至複数の固定凸部と、を備えた構成を有している。
【００２８】
この構成により、以下の作用を有する。
【００２９】
（１）スライド孔にビスを挿通させビスの頭部をスライド凹部に収容し、ビスを壁面に螺着して各々のスタンド部材を壁面に上下に取り付け、一方のスタンド部材をスライドさせてその挟持面を電子機器の下端部の筐体面に当接させ、他方のスタンド部材をスライドさせてその挟持面を電子機器の上端部の筐体面に当接させ、各々の挟持面で電子機器を挟持して壁面に保持固定することができる。
【００３０】
（２）電子機器の上下を各挟持面で挟持すると共に、挟持面上に突設された固定凸部を電子機器の上端部及び下端部の筐体面に形成された凸部嵌入孔に嵌入させることで安定して保持することができる。
【００３１】
（３）スライド孔が挟持面に直交する方向に延びる長孔状に形成されているので、壁面にビスで上下に取り付けたスタンド部材を壁面に沿って上方や下方にスライドさせ、対向する各々の挟持面の間の距離を大きくしておき、挟持面の間に電子機器を挿入した後、スタンド部材をスライドさせて各挟持面を電子機器の上端部及び下端部の筐体面に当接させ、固定凸部を凸部嵌入孔に嵌入させることができるので、電子機器を容易に取り付けることができると共に、電子機器を取り外す場合も、スタンド部材をスライドさせて各挟持面を電子機器の上下端部の筐体面から離隔させて容易に取り外すことができ、取り付け取り外しが容易である。
【００３２】
（４）電子機器をスタンド部材により保持して壁掛けすることにより、電子機器の壁面側の筐体面が壁面から載置部の高さだけ離隔するため、その筐体面に形成された放熱用の孔が塞がらず、放熱性の低下を防止できる。
【００３３】
（５）一対のスタンド部材を同一形状に形成することができるので、各スタンド部材をＰＳやＡＢＳ等の合成樹脂により一体成形する場合は共通の金型で成形でき生産性に優れる。
【００３４】
（６）スライド孔が載置面に形成されたスライド凹部の底壁に貫通して形成されているので、電子機器をスタンド部材に取り付けた際にスライド孔やそれに挿通されたビスの頭部が電子機器に覆われ外部から見えなくなるため、外観を向上できる。
【００３５】
ここで、スライド孔は、挿通されるビスの螺子部の径と略同一の幅を有するように形成されている。また、載置面上のスライド孔の周囲にビスの頭部が載置面上に突出しないようにビスの頭部が嵌り込む凹部を形成することが好ましい。スライド凹部はその内部でビスの頭部がスライドできるように、幅がビスの頭部の幅より大きく形成されると共に、その深さはビスの頭部の高さより大きく形成される。スライド孔のスライド方向の長さは、ビスの螺子部の外径の１．５倍〜２倍に形成されることが好ましい。これにより、スタンド部材のスライド幅をビスの螺子部の外径の０．５倍〜１倍とすることができ、操作性に
優れる。
【００３６】
また、スライド凹部及びスライド孔は載置部に少なくとも２つ形成されることが好ましい。これにより、スタンド部材を平行にスライドさせることができ、電子機器の取り付け取り外し操作がし易く操作性に優れる。
【００３７】
上記課題を解決するためになされた第２の発明は、第１の発明に記載のスタンドであって、スライド孔の少なくとも一方の側壁に突設されたビス係合凸部を備えた構成を有している。
【００３８】
この構成により、第１の発明の作用に加え、以下の作用を有する。
【００３９】
（１）スライド孔の側壁に突設されたビス係合凸部を備えているので、ビスをビス係合凸部によりスライド孔の一端部又は一端部近傍の位置で確実に保持することができ、電子機器を一対のスタンド部材の挟持面で挟持した状態でビスをスライド孔のビス係合凸部で保持し電子機器を壁面に確実に固定することができる。
【００４０】
ここで、ビス係合凸部はスライド孔の一方の側壁に形成してもよく、両側壁に対向して形成してもよい。
【００４１】
上記課題を解決するためになされた第３の発明は、第２の発明に記載のスタンドであって、スライド凹部の底壁に貫通して形成されスライド孔のビス係合凸部側に並設された長孔状開口部を備えた構成を有している。
【００４２】
この構成により、第２の発明の作用に加え、以下の作用を有する。
【００４３】
（１）スライド孔に並設された長孔状開口部を備えているので、ビスがスライド孔をスライドしビス係合凸部を越える際には、ビスの螺子部の押圧によりスライド孔の側壁が長孔状開口部側に弾性変形しスライド孔の幅を拡げ、ビスはビス係合凸部を容易に越えることができる。
【００４４】
上記課題を解決するためになされた第４の発明は、第１乃至第３の発明の内いずれか１に記載のスタンドであって、載置面に凹状に形成された１乃至複数のビス止め凹部と、ビス止め凹部の底壁に貫通して形成されたビス止め孔と、を備えた構成を有している。
【００４５】
この構成により、第１乃至第３の発明の内いずれか１の作用に加え、以下の作用を有する。
【００４６】
（１）載置面のスタンド凹部の側部等に穿設されたビス止め凹部と、その底壁に形成されたビス止め孔を備えているので、ビス止め孔にビスを挿通させビス止め凹部にビスの頭部を収容し、ビスを壁面に螺着してスタンド部材を壁面に固定することができる。
【００４７】
（２）一対のスタンド部材の内、一方のスタンド部材をビス止め孔で壁面にビス止めし、他方のスタンド部材をスライド孔でビス止めすることにより、電子機器を取り付ける場合、或いは取り外す場合に、他方のスタンド部材を下方或いは上方へスライドさせるだけで電子機器の取り付け取り外しを容易に行うことができる。
【００４８】
上記課題を解決するためになされた第５の発明は、第１乃至第４の発明の内いずれか１に記載のスタンドであって、各々のスタンド部材が、載置部の挟持面と反対側の側面に左右に形成された嵌合凸部及び嵌合凹部等からなる結合手段を備えた構成を有している。
【００４９】
この構成により、第１乃至第４の発明の内いずれか１の作用に加え、以下の作用を有する。
【００５０】
（１）スタンド部材が各々結合手段を備えているので、一対のスタンド部材を結合してスタンドを形成することができる。
【００５１】
（２）縦にした電子機器の下端部を結合したスタンドの各々の挟持面の間に挿入し、各挟持面で挟持することで、電子機器をスタンドに装着固定することができ、縦置きで保持することができる。
【００５２】
（３）電子機器を縦置き、壁掛けのいずれでも保持することができ使用性及び多用性に優れる。
【００５３】
ここで、結合手段としては、載置部の挟持面と反対側の側面に左右に形成された嵌合凸部及び嵌合凹部等が用いられる。結合手段として嵌合凸部及び嵌合凹部を用いる場合、その形状としては、基端部側から先端部側にかけて拡がった略台形状や、湾曲して拡がった断面半円状や断面円形状等が用いられる。
【００５４】
上記課題を解決するためになされた第６の発明は、第５の発明に記載のスタンドであって、載置面の挟持面側の端部から挟持面の上部に渡って形成された開口部と、開口部の上端部から下方に向けて開口部を覆う平板状に延設され、挟持面と面一に形成された面に固定凸部が突設された脱着レバー部と、を備えた構成を有している。
【００５５】
この構成により、第５の発明の作用に加え、以下の作用を有する。
【００５６】
（１）固定凸部が突設された脱着レバー部を備えているので、電子機器を組み立てたスタンドに縦置きに装着する場合、スタンドの下面側から脱着レバー部の下端部を指等で挟持部側に押圧し、固定凸部を挟持面に対して面一又は陥没させることで、固定凸部は電子機器の筐体面に形成された凸部嵌入孔から抜けるので、電子機器を簡単な操作で容易にスタンドから取り外すことができる。
【００５７】
（２）また、縦にした電子機器の下端部を組み立てたスタンドの各挟持面の間に挿入する場合、電子機器の両側部の筐体面は、挟持面に沿って挿入され、各筐体面の下端部は脱着レバー部に突設された固定凸部を押圧するので、脱着レバー部は弾性的に曲がって固定凸部は陥没し、さらに電子機器を挿入すると、脱着レバー部は復元して固定凸部は筐体面の凸部嵌入孔に嵌入するので、電子機器をスタンドに確実に装着固定することができる。
【００５８】
（実施の形態１）
以下、本発明の実施の形態について、各図に基づいて説明する。
【００５９】
図１（ａ）は本実施の形態１におけるスタンドのスタンド部材の平面図であり、図１（ｂ）は本実施の形態１におけるスタンドのスタンド部材の正面図であり、図１（ｃ）は本実施の形態１におけるスタンドのスタンド部材の側面図であり、図２（ａ）は図１（ａ）のＡ−Ａ線の矢視断面図であり、図２（ｂ）は図１（ａ）のＢ−Ｂ線の矢視断面図であり、図２（ｃ）はスライド孔の要部拡大平面図である。
【００６０】
図中、１はスタンド部材、２は一方の面に挟持面３が形成され、他方の面は上部から下部に傾斜すると共に左右に湾曲した湾曲傾斜面２ａが形成された挟持部、３は挟持部２の下面に対して直交した平面状の挟持面、４は平板状に形成され一側部が挟持面の下端部に
一体形成された載置部、５は載置部４の上面に形成され挟持面３に対して直交した平面状の載置面、６は一対のスタンド部材１を結合するための結合手段であり載置部４の挟持部２の反対側の側面の一端側に突設された嵌合凸部、６ａは嵌合凸部６の一側部に基端部側から先端部側に向けて拡がるように傾斜して形成された凸部傾斜部、７は一対のスタンド部材１を結合するための結合手段であり載置部４の側面の嵌合凸部６の反対側の他端側に穿設された嵌合凹部、７ａは嵌合凹部７の内壁の凸部傾斜部６ａが当接する面に凸部傾斜部６ａに対応して形成された凹部傾斜部、８ａ，８ｂは挟持面３に直交する方向に延びる長孔状に形成されたスライド孔、９ａ，９ｂは載置面５に長溝状に形成されその底壁にスライド孔８ａ，８ｂが貫通して形成されたスライド凹部、１０ａ，１０ｂはスライド凹部９ａ，９ｂの底壁のスライド孔８ａ，８ｂの側部に並設された長孔状開口部、１１ａ，１１ｂは長孔状開口部１０ａ，１０ｂとスライド孔８ａ，８ｂとの間に形成されたバネ作用を有するバネ状部、１２ａ，１２ｂはスライド孔８ａ，８ｂの長孔状開口部９ａ，９ｂ側の側壁の略中間部に突設されたビス係合凸部、１３ａ，１３ｂはビス止め孔、１４ａ，１４ｂは載置面５に凹状に形成されその底壁にビス止め孔１３ａ，１３ｂが貫通して形成されたビス止め凹部、１５は載置面５の挟持面３側の端部中央部から挟持面３の上端部近傍に渡って開口形成された開口部、１６は開口部１５の上端部から下方に向けて開口部１５を覆う平板状に延設された脱着レバー部、１７は脱着レバー部１６の挟持面３と面一の面の略中央部に突設され上部が傾斜した固定凸部である。
【００６１】
図２（ｃ）において、１８はスライド孔８ａ内のビス係合凸部１２ａより挟持面３側に形成された固定時ビス保持部、１９はスライド孔８ａ内のビス係合凸部１２ａを介して固定時ビス保持部１８の反対側に形成された脱着時ビス保持部、２０はスライド孔８ａの挟持面３側に連設された細幅部、２１はスライド孔８ａの細幅部２０の反対側の端部に形成された先細り部である。なお、図２（ｃ）においてはスライド孔８ａについて説明したが、スライド孔８ｂについてはスライド孔８ａと左右対称で同様の構成であるので説明を省略する。
【００６２】
ここで、スタンド部材１は金型成形により一体形成されたＰＳやＡＢＳ等の合成樹脂により形成されている。
【００６３】
嵌合凸部６の下面は載置部４の下面と面一に形成されている。嵌合凹部７は載置部４の側面及び下面側に渡って開放して形成されている。嵌合凹部７は嵌合凸部６が嵌合するように略同一形状に形成されている。
【００６４】
スライド孔８ａ，８ｂは、それに挿通されるビスの螺子部の外径と略同一の幅を有するように形成されている。また、スライド凹部９ａ，９ｂはその内部にビスの頭部が収容されスライドできるように、その幅がビスの頭部の幅より大きく形成されると共に、その深さはビスの頭部の高さより大きく形成され、ビスの頭部が載置面５上に突出しないように形成されている。
【００６５】
ビス止め孔１３ａ，１３ｂの内径は挿通されるビスの螺子部の外径と略同一に形成されている。また、ビス止め凹部１４ａ，１４ｂはビスの頭部が収容できる大きさに形成され、その深さはビスの頭部の高さより大きく形成され、ビスの頭部が載置面５上に突出しないように形成されている。
【００６６】
スライド孔８ａ，８ｂの上下には細幅部２０や先細り部２１が連設され、これによりバネ状部１１ａ，１１ｂが弾性変形し易くなり、スライド孔８ａ，８ｂに挿通されたビスがビス係合凸部１２ａ，１２ｂを越えて固定時ビス保持部１８ａと脱着時ビス保持部１９ａとの間でスライドし易くなり、電子機器の取り付け取り外しの操作を容易に行うことができる。
【００６７】
脱着レバー部１６は所定の厚みを有する平板状に形成され、その下端部は載置部４の下面近傍まで延びている。脱着レバー部１６の下端部を挟持部２側に指等で押圧することにより、脱着レバー部１６は弾性的に曲がり、固定凸部１７の先端部は挟持面３に対して面一又は陥没する。指を離すと脱着レバー部１６は復元して固定凸部１７は挟持面３に対して突出する。
【００６８】
以上のように構成された本実施の形態１におけるスタンドのスタンド部材１について、以下その壁掛け時の使用方法を図面を用いて説明する。
【００６９】
図３は電子機器の壁掛け時の装着前のスタンドの使用状態を示す要部断面図であり、図４は電子機器の壁掛け時の装着後のスタンドの使用状態を示す要部断面図である。
【００７０】
図中、１′はスタンド部材１と同一のスタンド部材、２２はルータやモデム等のパーソナルコンピュータ周辺機器である電子機器、２３，２４は電子機器２２を壁掛けにしたときに壁面に対向する面及びその反対側の面となる筐体面、２５，２６は電子機器２２を壁掛けにしたときにスタンド部材１，１′により挟持される上端面及び下端面となる筐体面、２７，２８は筐体面２５，２６のスタンド部材１，１′の固定凸部１７に対応する位置に穿設された凸部嵌入孔、３０はビス、Ｘは壁面である。
【００７１】
図３に示すように、電子機器２２を壁面Ｘに壁掛けするには、まず、一対のスタンド部材１，１′を準備し、各々のスタンド部材１，１′のスライド孔８ａ，８ｂの脱着時ビス保持部１９（図２（ｃ）参照）にビス３０を挿通させ、ビス３０を壁面Ｘに螺着してスタンド部材１，１′を壁面Ｘに固定する。このとき、スタンド部材１，１′を各々の挟持面３を対面させて壁面Ｘに上下に固定すると共に、ビス３０の螺子部を脱着時ビス保持部１９に保持させて、スタンド部材１，１′の各々の挟持面３の間の距離が電子機器２２の筐体面２５と筐体面２６の間の長さ、すなわち縦の長さより大きくなるように固定する。
【００７２】
次に、図４に示すように、各々の挟持面３の間に電子機器２２を挿入し、電子機器２２の筐体面２３の上下を載置面５に当接させた後、スタンド部材１を上方にスライドさせ、スタンド部材１′を下方にスライドさせて、スタンド部材１の挟持面３を筐体面２６に当接させ、固定凸部１７を凸部嵌入孔２８に嵌入すると共に、スタンド部材１′の挟持面３を筐体面２５に当接させ、固定凸部１７を凸部嵌入孔２７に嵌入させる。このとき、ビス３０の螺子部はスライド孔８ａ，８ｂに沿ってスライドし、ビスの頭部はスライド凹部９ａ，９ｂに沿ってスライドし、ビス３０の螺子部は脱着時ビス保持部１９からビス係合凸部１２ａ，１２ｂを越えて固定時ビス保持部１８（図２（ｃ）参照）に移動する。なお、ビス３０の螺子部がビス係合凸部１２ａ，１２ｂを越える際には、その押圧によりバネ状部１１ａ，１１ｂがスライド孔８ａ，８ｂの幅を拡げるように長孔状開口部１０ａ，１０ｂ側に弾性変形するので、ビス３０の螺子部はビス係合凸部１２ａ，１２ｂを容易に越えてスライド孔８ａ，８ｂをスライドして固定時ビス保持部１８に保持される。このようにして電子機器２２の上下部の筐体面２５，２６がスタンド部材１，１′の挟持面３で挟持されて電子機器２２が壁面Ｘに壁掛けされる。
【００７３】
電子機器２２を壁面Ｘから取り外す場合は、スタンド部材１を下方にスライドさせ、スタンド部材１′を上方にスライドさせて、スタンド部材１の挟持面３を筐体面２６から離隔させ、固定凸部１７を凸部嵌入孔２８から抜き出すと共に、スタンド部材１′の挟持面３を筐体面２５から離隔させ、固定凸部１７を凸部嵌入孔２７から抜き出す。このとき、ビス３０の螺子部はスライド孔８ａ，８ｂに沿ってスライドし、固定時ビス保持部１８からビス係合凸部１２ａ，１２ｂを越えて脱着時ビス保持部１９に移動し保持される。このようにして電子機器２２を壁面Ｘから取り外すことができる。
【００７４】
なお、スタンド部材１，１′の内、いずれか一方のスタンド部材、例えばスタンド部材１をビス止め孔１３ａ，１３ｂ（図１（ａ）及び図１（ｃ）参照）で壁面Ｘにビス止めすることにより、電子機器２２を取り付ける場合、或いは取り外す場合に、スタンド部材１′を下方或いは上方へスライドさせるだけで電子機器２２の取り付け取り外しを行うことができる。
【００７５】
次に、電子機器２２の縦置き時のスタンドの使用方法について図面を用いて説明する。
【００７６】
図５は一対のスタンド部材の結合動作を示す要部斜視図であり、図６は組み立てられたスタンドの平面図であり、図７は電子機器の縦置き時のスタンドの使用状態を示す要部断面図である。
【００７７】
図中、６′はスタンド部材１′の嵌合凸部、６ａ′は嵌合凸部６′の凸部傾斜部、７′はスタンド部材１′の嵌合凹部、７ａ′は嵌合凹部７′の凹部傾斜部である。なお、図５においては、説明を分かり易くするためにスライド孔８ａ，８ｂ，スライド凹部９ａ，９ｂ、ビス止め孔１３ａ，１３ｂ、及びビス止め凹部１４ａ，１４ｂは省略している。
【００７８】
図６及び図７において、３１はスタンド、３２は電子機器２２の筐体面２３の固定凸部１７に対応する位置に穿設された凸部嵌入孔、３３は電子機器２２の筐体面２４の固定凸部１７に対応する位置に穿設された凸部嵌入孔、Ｙはスタンド３１が載置されるスタンド載置面である。
【００７９】
図５に示すように、一対のスタンド部材１，１′を準備し、各々の載置部４の側面を対面させて、スタンド部材１の嵌合凸部６とスタンド部材１′の嵌合凹部７′、及び、スタンド部材１の嵌合凹部７とスタンド部材１′の嵌合凸部６′を向き合わせる。続いて、嵌合凸部６を嵌合凹部７′に下方から挿入し嵌合すると共に、嵌合凸部６′を嵌合凹部７に下方から挿入し嵌合する。このようにして、図６に示すスタンド３１が組み立てられる。嵌合凸部６及び嵌合凸部６′は先端部側又は奥手側が幅方向に拡がっているため水平方向に抜けることはない。また、嵌合凸部６，６′及び嵌合凹部７，７′には、凸部傾斜部６ａ，６ａ′及び凹部傾斜部７ａ，７ａ′が形成されているので、嵌合凸部６，６′や嵌合凹部７，７′の寸法に多少のばらつきが生じても、嵌合凸部６，６′が嵌合凹部７，７′に入らなくなったり、ぐらついたりすることがない。なお、嵌合凸部６，６′及びそれに対応する嵌合凹部７，７′の形状としては、両側部に凸部傾斜部６ａ，６ａ′、凹部傾斜部７ａ，７ａ′が形成された略台形状や、基端部側から先端部側にかけて湾曲して拡がった断面半円状や断面円形状等が用いられ、いずれも寸法のばらつきに対応できる。
【００８０】
図７に示すように、電子機器２２をスタンド３１に縦置きに装着し、スタンド載置面Ｙに載置するには、まず、縦にした電子機器２２の下部すなわち筐体面２６側の端部を各々のスタンド部材１，１′の挟持面３の間に挿入する。このとき、筐体面２３，２４の下端部は、挟持面３に沿って挿入され、脱着レバー部１６に突設された固定凸部１７の上部の傾斜面に当接しながらこれを押圧する。これにより、脱着レバー部１６は弾性的に曲がって固定凸部１７は陥没する。さらに電子機器２２を挿入し、筐体面２６が載置面５に当接すると、固定凸部１７は筐体面２３，２４の凸部嵌入孔３２，３３に嵌入する。このようにして、電子機器２２はスタンド３１に装着され縦置きで保持される。
【００８１】
なお、電子機器２２をスタンド３１から取り外すには、スタンド３１の下面側から脱着レバー部１６の下端部を指等で挟持部２側に押圧することにより固定凸部１７を挟持面３に対して面一又は陥没させる。これにより、固定凸部１７は凸部嵌入孔３２，３３から抜けるので、電子機器２２を上方へ引き上げることによりスタンド３１から取り外すことが
できる。
【００８２】
以上のように本実施の形態１におけるスタンド３１は構成されているので、以下のような作用を有する。
【００８３】
（１）電子機器２２を壁面Ｘに壁掛けするには、スタンド部材１，１′のスライド孔８ａ，８ｂにビス３０の螺子部を挿通させ、ビス３０の頭部をスライド凹部９ａ，９ｂに収容し、ビス３０を壁面Ｘに螺着してスタンド部材１，１′を壁面Ｘに上下に固定する。このとき、ビス３０の螺子部をスライド孔８ａ，８ｂの脱着時ビス保持部１９に保持させる。次に、各々の挟持面３の間に電子機器２２を挿入し、スタンド部材１，１′をスライドさせて、スタンド部材１の挟持面３を筐体面２６に当接させ、固定凸部１７を凸部嵌入孔２８に嵌入すると共に、スタンド部材１′の挟持面３を筐体面２５に当接させ、固定凸部１７を凸部嵌入孔２７に嵌入させる。このとき、ビス３０の螺子部は脱着時ビス保持部１９からビス係合凸部１２ａ，１２ｂを越えて固定時ビス保持部１８に移動し保持される。このようにして電子機器２２の上下部の筐体面２５，２６がスタンド部材１，１′の挟持面３で挟持されて電子機器２２が壁面Ｘに壁掛けされる。
【００８４】
（２）電子機器２２を壁面Ｘから取り外す場合は、スタンド部材１を下方にスライドさせると共にスタンド部材１′を上方にスライドさせて、スタンド部材１の挟持面３を筐体面２６から離隔させ、固定凸部１７を凸部嵌入孔２８から抜き出すと共に、スタンド部材１′の挟持面３を筐体面２５から離隔させ、固定凸部１７を凸部嵌入孔２７から抜き出すことで、電子機器２２を壁面Ｘから取り外すことができる。
【００８５】
（３）スライド孔８ａ，８ｂに並設された長孔状開口部１０ａ，１０ｂと、長孔状開口部１０ａ，１０ｂ側に弾性変形するスライド孔８ａ，８ｂの側壁であるバネ状部１１ａ，１１ｂと、バネ状部１１ａ，１１ｂ側の側壁に突設されたビス係合凸部１２ａ，１２ｂと、を備えているので、ビス３０がスライド孔８ａ，８ｂをスライドしビス係合凸部１２ａ，１２ｂを越える際には、ビス３０の押圧によりバネ状部１１ａ，１１ｂがスライド孔８ａ，８ｂの幅を拡げるように長孔状開口部１０ａ，１０ｂ側に弾性変形し、ビス３０はビス係合凸部１２ａ，１２ｂを容易に越えることができる。また、ビス３０はビス係合凸部１２ａ，１２ｂにより固定時ビス保持部１８及び脱着時ビス保持部１９の位置で確実に保持される。
【００８６】
（４）載置面５に形成されたビス止め凹部１４ａ，１４ｂと、ビス止め凹部１４ａ，１４ｂの底壁に形成されたビス止め孔１３ａ，１３ｂを備えているので、スタンド部材１，１′の内、例えばスタンド部材１をビス止め孔１３ａ，１３ｂとビス止め凹部１４ａ，１４ｂで壁面Ｘにビス止めし、スタンド部材１′をスライド孔８ａ，８ｂとスライド凹部９ａ，９ｂでビス止めすることにより、電子機器２２を取り付ける場合、或いは取り外す場合に、スタンド部材１′を下方或いは上方へスライドさせるだけで電子機器２２の取り付け取り外しを行うことができる。
【００８７】
（５）電子機器２２をスタンド部材１，１′により保持して壁掛けすることにより、電子機器２２の壁面Ｘ側の面である筐体面２３が壁面Ｘから載置部４の高さだけ離隔するため、筐体面２３に形成された放熱用の孔が塞がらず、放熱性の低下を防止できる。
【００８８】
（６）一対のスタンド部材１，１′の各々の載置部４の側面を対面させ、スタンド部材１の嵌合凸部６をスタンド部材１′の嵌合凹部７′に下方から嵌入し、スタンド部材１′の嵌合凸部６′をスタンド部材１の嵌合凹部７に下方から嵌入することにより、スタンド３１を組み立てることができる。嵌合凸部６，６′は先端部側が拡がった形状に形成されているため、嵌合凹部７，７′から水平方向に抜けることはなく、スタンド部材１，１′
を互いに確実に固定することができる。
【００８９】
（７）電子機器２２を結合手段により結合したスタンド３１に縦に装着し、スタンド載置面Ｘに縦置きに載置するには、縦にした電子機器２２の下部を組み立てたスタンド３１の各挟持面３の間に挿入し、固定凸部１７を筐体面２３，２４の凸部嵌入孔３２，３３に嵌入させることで、電子機器２２をスタンド３１に装着固定することができ、縦置きで保持することができる。
【００９０】
（８）挟持面３に形成された開口部１５を覆うように下方に延設され固定凸部１７が突設された平板状の脱着レバー部１６を備えているので、スタンド３１の下面側から脱着レバー部１６の下端部を指等で挟持部２側に押圧し、固定凸部１７を挟持面３に対して面一又は陥没させることで、固定凸部１７は凸部嵌入孔３２，３３から抜けるので、電子機器２２を簡単な操作で容易にスタンド３１から取り外すことができる。
【産業上の利用可能性】
【００９１】
本発明は、ルータやモデム等のパーソナルコンピュータ周辺機器やパーソナルコンピュータ本体等を縦置きや横置き或いは壁掛けで保持するスタンドに関し、特に、本発明によれば、パーソナルコンピュータ周辺機器等の電子機器を縦置き、壁掛けのいずれでも保持することができ、壁掛け時の電子機器の取り付け取り外しが容易にでき使用性に優れると共に、同一形状の一対のスタンド部材で構成されているので共通の金型で製造でき生産性に優れるスタンドを提供することができる。
【図面の簡単な説明】
【００９２】
【図１】（ａ）本実施の形態１におけるスタンドのスタンド部材の平面図、（ｂ）本実施の形態１におけるスタンドのスタンド部材の正面図、（ｃ）本実施の形態１におけるスタンドのスタンド部材の側面図
【図２】（ａ）図１（ａ）のＡ−Ａ線の矢視断面図、（ｂ）図１（ａ）のＢ−Ｂ線の矢視断面図、（ｃ）スライド孔の要部拡大平面図
【図３】電子機器の壁掛け時の装着前のスタンドの使用状態を示す要部断面図
【図４】電子機器の壁掛け時の装着後のスタンドの使用状態を示す要部断面図
【図５】一対のスタンド部材の結合動作を示す要部斜視図
【図６】組み立てられたスタンドの平面図
【図７】電子機器の縦置き時のスタンドの使用状態を示す要部断面図
【符号の説明】
【００９３】
１，１′    スタンド部材
２    挟持部
２ａ    湾曲傾斜面
３    挟持面
４    載置部
５    載置面
６，６′    嵌合凸部（結合手段）
６ａ，６ａ′    凸部傾斜部
７，７′    嵌合凹部（結合手段）
７ａ，７ａ′    凹部傾斜部
８ａ，８ｂ    スライド孔
９ａ，９ｂ    スライド凹部
１０ａ，１０ｂ    長孔状開口部
１１ａ，１１ｂ    バネ状部
１２ａ，１２ｂ    ビス係合凸部
１３ａ，１３ｂ    ビス止め孔
１４ａ，１４ｂ    ビス止め凹部
１５    開口部
１６    脱着レバー部
１７    固定凸部
１８    固定時ビス保持部
１９    脱着時ビス保持部
２０    細幅部
２１    先細り部
２２    電子機器
２３，２４，２５，２６    筐体面
２７，２８    凸部嵌入孔
３０    ビス
３１    スタンド
３２，３３    凸部嵌入孔
Ｘ    壁面
Ｙ    スタンド載置面
【図１】
2005167123.tif 000003
【図２】
2005167123.tif 000004
【図３】
2005167123.tif 000005
【図４】
2005167123.tif 000006
【図５】
2005167123.tif 000007
【図６】
2005167123.tif 000008
【図７】
2005167123.tif 000009